(57)【要約】【課題】本発明の目的は、フィルタを清掃する場合にフィルタから塵埃の落下を抑制できる空気調和機を提供することを目的とする。【解決手段】室内熱交換器３１の風上に配置されているフィルタ５００と、前記フィルタ５００との相対移動に応じて、前記フィルタ５００に付着した塵埃を除去するブラシ５１２と、空気を取り込み、前記室内熱交換器３１を通して吹き出すための室内ファン３２と、前記ブラシ５１２により塵埃を除去する場合に前記室内ファン３２を駆動させる制御部４１と、を備える、空気調和機１を提供する。【選択図】図１
2014122747.tif 000002
【特許請求の範囲】
【請求項１】
熱交換器（３１）の風上に配置されているフィルタ（５００）と、
前記フィルタとの相対移動に応じて、前記フィルタに付着した塵埃を除去する除去部材（５１）と、
空気を取り込み、前記熱交換器を通して吹き出すためのファン（３２）と、
前記除去部材により塵埃を除去する場合に前記ファンを駆動させる制御部（４１）と、
を備える、空気調和機（１）。
【請求項２】
前記空気調和機は、室内の側壁の上部に取り付けられる空気調和機であって、
上部に設けられ、空気を取り込む吸込口（３０５ａ）と、
下部に設けられ、空気を吹き出す吹出口（３０６ａ）と、
をさらに備え、
前記ファンの駆動により吹き出される空気は上吹きである、請求項１に記載の空気調和機。
【請求項３】
前記ファンの駆動により吹き出される空気の風量は微風である、請求項２に記載の空気調和機。
【請求項４】
前記微風は、前記ファンの駆動により吹き出された空気が前記フィルタに向かう風量である、請求項２に記載の空気調和機。
【請求項５】
前記除去部材により塵埃を除去する場合に、前記フィルタはその上面が前記除去部材に向かう往路方向に移動し、前記除去部材による塵埃の除去の終了後には、前記フィルタは前記上面が前記往路方向とは逆の復路方向に移動し、
前記制御部は、前記フィルタが往路方向に移動する場合に前記ファンを駆動し、前記フィルタが復路方向に移動する場合に前記ファンを停止する、請求項１に記載の空気調和機。
【発明の詳細な説明】
【技術分野】
【０００１】
本発明は空気調和機に関する。
【背景技術】
【０００２】
空調室内機は、室内の空気を取り込み、熱交換器により熱交換された空気を吹出口から吹き出す。室内の空気には塵埃等が含まれるため、熱交換器に空気が取り込まれる前に塵埃等を除去する必要がある。特許文献１（特開２０１０−１９７０３４号公報）の空調室内機は、吸込口から熱交換器に至る空気の流れの上流側、つまり熱交換器の風上側に塵埃を除去するフィルタを備えている。さらに、特許文献１の空調室内機は、フィルタに付着した塵埃を離脱するためのフィルタ清掃装置を備えている。フィルタの清掃の際にはフィルタは周回され、フィルタ清掃装置がフィルタに付着した塵埃を取り除く。
【発明の概要】
【発明が解決しようとする課題】
【０００３】
しかし、フィルタを清掃する際にはフィルタが振動するため、フィルタ清掃装置が塵埃を除去する前に塵埃が落下し、フィルタに付着した塵埃をフィルタ清掃装置により除去することができない。
【０００４】
そこで、本発明の目的は、フィルタを清掃する場合にフィルタから塵埃の落下を抑制できる空気調和機を提供することを目的とする。
【課題を解決するための手段】
【０００５】
本発明の第１観点に係る空気調和機は、フィルタ、除去部材、ファン及び制御部を備える。フィルタは、熱交換器の風上に配置されている。除去部材は、フィルタとの相対移動に応じて、フィルタに付着した塵埃を除去する。ファンは、空気を取り込み、熱交換器を通して吹き出す。制御部は、除去部材により塵埃を除去する場合にファンを駆動させる。
【０００６】
これにより、塵埃を除去する場合にフィルタが振動しても、フィルタに付着した塵埃が落下するのを抑制できる。
【０００７】
本発明の第２観点に係る空気調和機は、第１観点に係る空気調和機において、空気調和機は室内の側壁の上部に取り付けられる。空気調和機は、上部に設けられ、空気を取り込む吸込口と、下部に設けられ、空気を吹き出す吹出口と、をさらに備える。このとき、ファンの駆動により吹き出される空気は上吹きである。
【０００８】
これにより、吹き出された空気の大部分を、フィルタの上面への塵埃の押し付けに用いることができる。
【０００９】
本発明の第３観点に係る空気調和機は、第２観点に係る空気調和機において、ファンの駆動により吹き出される空気の風量は微風である。
【００１０】
これにより、ファンの駆動量を抑えつつも、フィルタの上面に塵埃を押し付けることができる。
【００１１】
本発明の第４観点に係る空気調和機は、第２観点に係る空気調和機において、微風は、ファンの駆動により吹き出された空気がフィルタに向かう風量である。
【００１２】
これにより、ショートサーキット現象を利用して、フィルタの上面に塵埃を押し付けることができる。
【００１３】
本発明の第５観点に係る空気調和機は、第１観点に係る空気調和機において、除去部材により塵埃を除去する場合に、フィルタはその上面が除去部材に向かう往路方向に移動し、除去部材による塵埃の除去の終了後には、フィルタは上面が往路方向とは逆の復路方向に移動する。制御部は、フィルタが往路方向に移動する場合にファンを駆動し、フィルタが復路方向に移動する場合にファンを停止する。
【００１４】
除去部材による塵埃の除去時にフィルタの上面とは反対の面に塵埃が付着したとしても、フィルタを復路方向に移動させる場合に塵埃を落下させ得る空気流が形成されていない。よって、フィルタが復路方向に移動する場合にフィルタの上面とは反対の面から塵埃が落下するのを抑制できる。
【発明の効果】
【００１５】
本発明の第１観点に係る空気調和機では、塵埃を除去する場合にフィルタが振動しても、フィルタに付着した塵埃が落下するのを抑制できる。
【００１６】
本発明の第２観点に係る空気調和機では、吹き出された空気の大部分を、フィルタの上面への塵埃の押し付けに用いることができる。
【００１７】
本発明の第３観点に係る空気調和機では、ファンの駆動量を抑えつつも、フィルタの上面に塵埃を押し付けることができる。
【００１８】
本発明の第４観点に係る空気調和機では、ショートサーキット現象を利用して、フィルタの上面に塵埃を押し付けることができる。
【００１９】
本発明の第５観点に係る空気調和機では、フィルタが復路方向に移動する場合にフィルタの上面とは反対の面から塵埃が落下するのを抑制できる。
【図面の簡単な説明】
【００２０】
【図１】本発明の一実施形態に係る室内機を使用した空気調和機の正面図。
【図２】本発明の一実施形態に係る室内機の正面斜視図。
【図３】図２のＩＩＩ−ＩＩＩ線断面図。
【図４】フィルタ機構および室内熱交換器の正面斜視図。
【図５】フィルタユニットの正面斜視図。
【図６】フィルタ５００の清掃時に吹出口３０６ａから吹出される空気流の流れを示す説明図。
【図７Ａ】清掃時においてフィルタ５００が往路方向に移動する場合の動作の流れを示す説明図（１）。
【図７Ｂ】清掃時においてフィルタ５００が往路方向に移動する場合の動作の流れを示す説明図（２）。
【図７Ｃ】清掃時においてフィルタ５００が往路方向に移動する場合の動作の流れを示す説明図（３）。
【図８Ａ】清掃終了後においてフィルタ５００が復路方向に移動する場合の動作の流れを示す説明図（１）。
【図８Ｂ】清掃終了後においてフィルタ５００が復路方向に移動する場合の動作の流れを示す説明図（２）。
【図８Ｃ】清掃終了後においてフィルタ５００が復路方向に移動する場合の動作の流れを示す説明図（３）。
【図９】制御部４１の機能構成及びハードウェア構成を示すブロック図。
【図１０】フィルタ５００の清掃時における動作を示すフローチャートの一例。
【図１１Ａ】清掃時においてフィルタ５００が往路方向に移動する場合の動作の流れを示す説明図（１）。
【図１１Ｂ】清掃時においてフィルタ５００が往路方向に移動する場合の動作の流れを示す説明図（２）。
【図１１Ｃ】清掃時においてフィルタ５００が往路方向に移動する場合の動作の流れを示す説明図（３）。
【図１２Ａ】清掃終了後においてフィルタ５００が復路方向に移動する場合の動作の流れを示す説明図（１）。
【図１２Ｂ】清掃終了後においてフィルタ５００が復路方向に移動する場合の動作の流れを示す説明図（２）。
【図１２Ｃ】清掃終了後においてフィルタ５００が復路方向に移動する場合の動作の流れを示す説明図（３）。
【発明を実施するための形態】
【００２１】
以下、図面を参照しながら、本発明の実施形態について説明する。なお、以下の実施形態は、本発明の具体例であって、本発明の技術的範囲を限定するものではない。また、以下の説明において、上、下、左、右、正面（前）、背面（後）といった方向を示す語句を用いているが、これらの方向は、特にことわりのない限り、図１および図３に示す方向を意味する。
【００２２】
＜実施形態＞
以下にまず本実施形態に係る空気調和機の構成について説明する。
【００２３】
（１）空気調和機１
図１は、空気調和機１の正面図である。空気調和機１は、室内空間の熱負荷を処理して空気調和を実現する装置である。空気調和機１は、室外機２と、室内機３と、冷媒配管４とから構成され、冷房運転や暖房運転等を行うことができる。
【００２４】
（１−１）室外機２
室外機２は、室外に設置されており、その外郭はケーシング２０によって構成されている。ケーシング２０の内部には、主として室外熱交換器、室外ファンおよび圧縮機等が収容されている（図示省略）。室外機２は、室内機３と冷媒配管４を介して接続されて冷媒回路を構成している。
【００２５】
（１−２）室内機３
次に図１から図３を参照して、室内機３について説明する。図２は、室内機３の正面斜視図である。図３は、図２のＩＩＩ−ＩＩＩ線断面図である。
【００２６】
室内機３は、壁掛けタイプで、室内機保持具（図示省略）を介して室内の天井近傍の壁に設置されている。室内機３の外郭はケーシング３０によって構成されている。
【００２７】
（ａ）ケーシング３０
ケーシング３０は、左右に長い横長の形状をしており、主として、樹脂製の板状部材である背面板３０１、底板３０２、左側板３０３、右側板３０４、天板３０５および正面板３０６により、それぞれ構成されている。なお、背面板３０１以外は、室内機３を設置した状態で取り外しが可能である。
【００２８】
背面板３０１は、ケーシング３０の背面部分を構成しており、室内機保持具に固定されている。底板３０２は、ケーシング３０の底面部分を構成しており、下吸込口３０２ａが形成されている。下吸込口３０２ａは、シャッター３０２ｂで塞がれている。シャッター３０２ｂは、フラップモータ（図示省略）の駆動によって回動し、下吸込口３０２ａの開閉を行っている。
【００２９】
左側板３０３および右側板３０４は側面視において略扇形状の形状を有しており、左側板３０３はケーシング３０の左側面を、右側板３０４は右側面をそれぞれ構成している。天板３０５は、ケーシング３０の天面部分を構成しており、上吸込口３０５ａが形成されている。
【００３０】
正面板３０６は正面側に膨らむように湾曲している。正面板３０６の下端近傍に吹出口３０６ａが形成されており、吹出口３０６ａは水平フラップ３０６ｂで塞がれている。水平フラップ３０６ｂは、フラップモータ（図示省略）の駆動によって回動し、吹出口３０６ａの開閉を行っている。
【００３１】
ケーシング３０の内部には、主として、室内熱交換器３１、室内ファン３２、フィルタ機構３３および制御部４１等が収容されている。
【００３２】
角度調節羽根３０７は、図３に示すように、水平フラップ３０６ｂよりも室内ファン３２近傍に配置されている。また、角度調節羽根３０７は、その平面が吹出口３０６ａの長手方向と交差する方向に沿って配置されている。複数の角度調節羽根３０７が回動軸３０７ａを介して接続されており、回動軸３０７ａは図示しない回動軸モータの駆動により軸方向に回動する。回動軸３０７ａの回動により複数の角度調節羽根３０７が回動し、左右風向が制御された気流が吹出口３０６ａから吹き出される。
【００３３】
コアンダ羽根３０８は、図２及び図３に示すように、正面板３０６と水平フラップ３０６ｂとの間に設けられており、断面形状が円弧状の部材である。コアンダ羽根３０８はフラップモータ（図示省略）の駆動によって回動し、正面板３０６から離れる方向の開状態と、正面板３０６に沿って収容される閉状態と、が切り換えられる。コアンダ羽根３０８が開状態となることで、コアンダ（効果）を有する気流が吹出口３０６ａから室内に吹出される。コアンダ（効果）とは、気体や液体の流れのそばに壁があると、流れの方向と壁の方向とが異なっていても、壁面に沿った方向に流れようとする現象である（朝倉書店「法則の辞典」）。コアンダ羽根３０８の開状態の程度により様々な気流を生じさせることができ、例えば、コアンダ（効果）を利用モードしたモードには、空気の流れを天井に向かわせる「コアンダ気流天井吹き」などが含まれる。
【００３４】
（ｂ）室内熱交換器３１
室内熱交換器３１は、クロスフィン型熱交換器である。室内熱交換器３１は、室内の空気と熱交換し、冷房運転時には冷媒の蒸発器として機能し、暖房運転時には冷媒の放熱器として機能する。これにより内部を流れる冷媒を蒸発又は凝縮させて、室内の空気を冷却又は加熱する。
【００３５】
室内熱交換器３１は、側面視において前方および上方に突出するように屈曲した形状を有し、室内ファン３２の上方に配置されている。
【００３６】
（ｃ）室内ファン３２
室内ファン３２はクロスフローファンである。室内ファン３２は、室内熱交換器３１の下方に設けられており、その略上半分が、室内熱交換器３１に囲われている。室内ファン３２は、ファンモータ（図示省略）と接続されており、ファンモータが駆動することにより回転する。室内ファン３２の回転により、室内の空気が、室内機３の上吸込口３０５ａおよび下吸込口３０２ａからケーシング３０内部へと吸い込まれ、室内熱交換器３１を通過して吹出口３０６ａから吹き出される。
【００３７】
（ｄ）フィルタ機構３３
以下、図３から図５を参照してフィルタ機構３３について説明する。図４は、フィルタ機構３３および室内熱交換器３１の正面斜視図である。図５は、フィルタユニット５０の正面斜視図である。
【００３８】
フィルタ機構３３は、室内熱交換器３１の空気流上流側において室内熱交換器３１を覆うように配設されており、ケーシング３０内に取り込んだ室内空気に含まれる塵埃を除去して、室内熱交換器３１に塵埃が付着することを防いでいる。フィルタ機構３３は、主として、フィルタユニット５０と、清掃ユニット５１と、支持フレーム５２と、から構成されている。
【００３９】
（ｄ−１）フィルタユニット５０
フィルタユニット５０は、主として、フィルタ５００と、フィルタガイド５０１とから構成されている。フィルタ５００は、樹脂製の糸等で平織りまたは綾織された網であって、環形状に成形されている。フィルタ５００は、フィルタガイド５０１に掛け渡されており、無端ベルト状に保たれている。
【００４０】
フィルタガイド５０１は、主として、左右に延びる第１ローラ５０２および第２ローラ５０３と、側面視略台形状に湾曲している左連結部材５０４ａおよび右連結部材５０４ｂ（以下、左連結部材５０４ａおよび右連結部材５０４ｂを併せて連結部材５０４と呼ぶ）と、から構成されている。
【００４１】
第１ローラ５０２と第２ローラ５０３とは、連結部材５０４によって連結されており、第１ローラ５０２は、連結部材５０４の前端において回転自在に配設されて、フィルタ５００の前側折返し部分を支持している。また、第２ローラ５０３は、連結部材５０４の後端において回転自在に配設されて、フィルタ５００の後側折返し部分を支持している。このように第１ローラ５０２および第２ローラ５０３が、連結部材５０４の前端または後端において回転自在に配設されていることにより、フィルタ５００は周回できるように保持されている。
【００４２】
フィルタユニット５０は、例えばケーシング３０内部の左右に１つずつ配置されており、左側には左フィルタユニット５０ａが、右側には右フィルタユニット５０ｂが配置されている。左フィルタユニット５０ａおよび右フィルタユニット５０ｂは、支持フレーム５２に脱着可能に装着されている。
【００４３】
（ｄ−２）清掃ユニット５１
清掃ユニット５１は、フィルタ５００の前側折返し部分近傍において支持フレーム５２に固定されている。清掃ユニット５１は、フィルタ５００に付着した塵埃を除去するもので、主として、フィルタ駆動部５１１、ブラシ５１２、ブラシ駆動部５１３、ブラシ清掃部５１４、塵埃受け部５１５等を有している。
【００４４】
フィルタ駆動部５１１は、ローラ用モータ等で構成され、第１ローラ５０２の回転軸に接続されている。ローラ用モータが駆動すると第１ローラ５０２が回転し、フィルタ５００が周回する。
【００４５】
ブラシ５１２は、室内機３の長手方向に沿って細長い形状を有しており、長手方向に直行する断面が略円形の形状を有している。ブラシ５１２は、第１ローラ５０２の下方近傍に回転自在にとりつけられており、ブラシ５１２の一部はフィルタ５００に接触している。
【００４６】
ブラシ駆動部５１３は、ステッピングモータ等で構成され、ブラシ５１２の回転軸部分と接続されており、ステッピングモータが駆動することでブラシ５１２が回転するようになっている。
【００４７】
ブラシ清掃部５１４は、ブラシ５１２の下方に配置され、ブラシ５１２に向かって突出しており、その上端部分がブラシ５１２と接触している。ブラシ清掃部５１４がこのように設けられていることで、ブラシ５１２の回転に伴ってブラシ５１２に付着した塵埃が掻き落とされるようになっている。
【００４８】
塵埃受け部５１５は、ブラシ５１２及びブラシ清掃部５１４の下方に配置されている。塵埃受け部５１５内には、ブラシ清掃部５１４によってブラシ５１２から掻き落とされた塵埃が貯められる。
【００４９】
（２）フィルタ５００の清掃時の動作
（２−１）概略動作
図６はフィルタ５００の清掃時に吹出口３０６ａから吹出される空気流の流れを示す説明図である。図６に示すようにフィルタ５００の清掃時には室内ファン３２が駆動され、水平フラップ３０６ｂが開状態となる。このとき、室内ファン３２は、吹出口３０６ａから例えば微風に相当する風量で空気を吹き出すように制御されている。また、水平フラップ３０６ｂは、例えば水平フラップ３０６ｂが断面視で例えば概ね水平方向となるように調整されている。これにより、吹出口３０６ａから吹出された空気は、収容されたコアンダ羽根３０８の表面及び正面板３０６に沿って上方向に向かい、上吸込口３０５ａから吸い込まれる。つまり、吹出口３０６ａから吹出された空気が直に空気調和機１に再び取り込まれるショートサーキットが発生する。
【００５０】
よって、フィルタ５００の清掃時において室内ファン３２が駆動して水平フラップ３０６ｂが開状態となることで、室内ファン３２により取り込まれた空気がフィルタ５００を上面から下面に向かって通過する。フィルタ５００の上面に付着した塵埃は、フィルタ５００の上面から下面に向かう空気流によりフィルタ５００の上面に押し付けられる。よって、フィルタ５００を清掃して塵埃を除去する場合にフィルタ５００が振動しても、フィルタ５００の上面の塵埃が落下するのを抑制できる。
【００５１】
（２−２）動作の流れ
次に、フィルタ５００の清掃時の動作の流れについてさらに説明する。フィルタ５００は、フィルタガイド５０１に環状に取り付けられており、第１ローラ５０２および第２ローラ５０３により周回するように動作する。より具体的には、第１ローラ５０２および第２ローラ５０３が一方向の回動と、一方向とは逆の逆方向との回動を行うことにより、フィルタ５００は往路方向及び復路方向に移動する往復運動を行う。このような動作の流れについて、図７Ａ〜図７Ｃ及び図８Ａ〜図８Ｃを用いて以下に説明する。図７Ａ〜図７Ｃは清掃時においてフィルタ５００が往路方向に移動する場合の動作の流れを示す説明図である。図８Ａ〜図８Ｃは清掃終了後においてフィルタ５００が復路方向に移動する場合の動作の流れを示す説明図である。
【００５２】
（ａ）往路方向
ここで、まずフィルタ５００が通常の状態において、フィルタ５００の上面５００ａとは上吸込口３０５ａに面する側であり、フィルタ５００の下面５００ｂとは室内熱交換器３１に面する側であるとする。空気調和機１の運転時等においては上吸込口３０５ａ及び下吸込口３０２ａからは空気が吸い込まれ、空気に取り込まれる塵埃がフィルタ５００の上面５００ａに付着し得る。
【００５３】
フィルタ５００の清掃時においては、図７Ａに示すように室内ファン３２が駆動され、水平フラップ３０６ｂが開状態に制御されている。吹出口３０６ａから吹き出した空気は正面板３０６に沿って上方向に向かい、上吸込口３０５ａから吸い込まれる。よって、フィルタ５００の上面５００ａに付着した塵埃は、上面５００ａ側から下面５００ｂに向かう空気流によりフィルタ５００の上面５００ａに押し付けられている。
【００５４】
塵埃がフィルタ５００の上面５００ａに押し付けられている状態で、図７Ｂに示すように、第１ローラ５０２及び第２ローラ５０３が一方向に駆動することにより、フィルタ５００の上面５００ａは、その端部からブラシ５１２に向かって移動し、徐々に室内熱交換器３１側に位置するように往路方向に移動する。このとき、ブラシ５１２はフィルタ５００の上面５００ａと接触することにより上面５００ａに付着した塵埃を除去し、ブラシ清掃部５１４はブラシ５１２から塵埃を掻き落として塵埃受け部５１５に収容する。なお、フィルタ５００の下面５００ｂとフィルタ５００の上面５００ａとは環状に連続しているため、フィルタ５００の上面５００ａが室内熱交換器３１側に位置するのに応じて、フィルタ５００の下面５００ｂは上吸込口３０５ａ側に位置するようになる。
【００５５】
さらに、図７Ｃに示すように、第１ローラ５０２及び第２ローラ５０３が一方向に駆動を継続することにより、フィルタ５００の上面５００ａは往路方向にさらに移動し、上面５００ａの塵埃が除去される。最終的には、フィルタ５００の上面５００ａの全面が室内熱交換器３１側に位置し、フィルタ５００の下面５００ｂの全面が上吸込口３０５ａ側に位置する。室内ファン３２の駆動及び水平フラップ３０６ｂの開状態は、フィルタ５００の上面５００ａの全面が室内熱交換器３１側に位置して、上面５００ａの全面がブラシ５１２と接触して塵埃の除去が行われるまで継続される。
【００５６】
（ｂ）復路方向
図８Ａに示すように、フィルタ５００の上面５００ａの塵埃の除去が終了した直後には、フィルタ５００の上面５００ａの全面が室内熱交換器３１側に位置し、フィルタ５００の下面５００ｂの全面が上吸込口３０５ａ側に位置している。塵埃の除去が終了すると、図８Ａに示すように、室内ファン３２の駆動が停止され、水平フラップ３０６ｂが閉状態に制御される。そのため、図７Ａ〜図７Ｃに示すような吹出口３０６ａから吹き出されて上吸込口３０５ａに吸い込まれる空気の流れは生じない。
【００５７】
次に、第１ローラ５０２及び第２ローラ５０３が一方向とは逆方向に駆動する。これにより、図８Ｂに示すように、フィルタ５００の上面５００ａは再び室内熱交換器３１側から上吸込口３０５ａ側に位置し、フィルタ５００の下面５００ｂは再び室内熱交換器３１側に位置するように復路方向に移動する。
【００５８】
さらに、図８Ｃに示すように、第１ローラ５０２及び第２ローラ５０３が逆方向に駆動を継続することにより、フィルタ５００の上面５００ａの全面が上吸込口３０５ａ側に位置し、フィルタ５００の下面５００ｂの全面が室内熱交換器３１側に位置する。
【００５９】
（ｃ）フィルタ５００の往復運動と室内ファン３２の駆動との関係
上述の通り、塵埃を除去する場合にはフィルタ５００はその上面５００ａ及び下面５００ｂが逆転するように移動し、塵埃の除去終了後には元の位置に戻るように往復運動する。ここで、ブラシ５１２等により塵埃を除去する場合にはフィルタ５００の上面５００ａに付着した塵埃が落下しないように室内ファン３２が駆動されている。フィルタ５００の上面５００ａが室内熱交換器３１側に移動するにつれてフィルタ５００の下面５００ｂが上吸込口３０５ａ側に移動し、室内ファン３２の駆動により取り込まれた空気に含まれる塵埃がフィルタ５００の下面５００ｂに付着し得る。室内ファン３２は、フィルタ５００の上面５００ａが室内熱交換器３１側に移動する場合（往路方向の場合）に駆動され、フィルタ５００の上面５００ａが上吸込口３０５ａ側に戻る場合（復路方向の場合）には駆動されない。つまり、塵埃の除去が終了し、フィルタ５００の下面５００ｂが室内熱交換器３１側に戻る場合には、室内ファン３２は駆動されず、フィルタ５００を上面５００ａから下面５００ｂに向かって通過する空気流が形成されない。よって、ブラシ５１２等による塵埃の除去時にフィルタ５００の下面５００ｂに塵埃が付着したとしても、塵埃を落下させ得る空気流が形成されておらず、フィルタ５００の下面５００ｂから室内熱交換器３１側に塵埃が落下するのを抑制できる。
【００６０】
（２−３）ショートサーキットの調整
本実施形態では、フィルタ５００の上面５００ａに付着した塵埃が落下するのを抑制するため、吹出口３０６ａから吹出された空気を直に空気調和機１に取り込んでショートサーキットさせている。
【００６１】
このようにショートサーキットさせるために、室内ファン３２は、室内ファン３２の駆動により吹出口３０６ａから吹き出された空気が上吸込口３０５ａに向かう風量で駆動されている。例えば、吹出口３０６ａから吹き出される空気の風量は微風程度である。このような風量に調整されることで、吹出口３０６ａから吹き出された空気の大部分は空気調和機１の近傍に吹き出され、室内ファン３２による空気の吸い込みに従って正面板３０６に沿って上方向に流れる。よって、空気調和機１は、吹き出された空気の大部分をその上部の上吸込口３０５ａから取り込んで、いわゆるショートサーキットさせ、フィルタ５００に供給することができる。これにより、室内ファン３２の駆動量を抑えつつも、フィルタ５００の上面５００ａに塵埃を押し付けることができる。
【００６２】
また、水平フラップ３０６ｂの開角度は、図６に示すように水平フラップ３０６ｂが閉状態となっている状態よりも大きい角度と、水平フラップ３０６ｂが水平方向である角度との間で調整される。このように調整されることで、室内ファン３２の駆動により吹出口３０６ａから吹き出される空気を上吸込口３０５ａに向かわせることができる。よって、吹出口３０６ａから吹き出された空気の大部分が空気調和機１の上吸込口３０５ａから取り込まれるため、取り込まれた空気によりフィルタ５００の上面５００ａに塵埃を押し付けて塵埃の落下を防止できる。
【００６３】
（３）空気調和機１のハードウェア構成及び機能構成
フィルタ５００の清掃時にはフィルタ５００が移動するため、その振動等によりフィルタ５００の上面５００ａに付着した塵埃が落下し得る。そこで、空気調和機１の制御部４１は、上述のようにフィルタ５００の清掃時には室内ファン３２及び水平フラップ３０６ｂの制御を行う。
【００６４】
このような制御を行う制御部４１の機能構成及びハードウェア構成について図９を用いて以下に説明する。図９は制御部４１の機能構成及びハードウェア構成を示すブロック図である。
【００６５】
制御部４１は、ＣＰＵ（Central Processing Unit）６０、ＲＡＭ（Random Access Memory）７０及びＲＯＭ（Read Only Memory）８０を有している。
【００６６】
（３−１）ＲＯＭ８０
ＲＯＭ８０は、空気調和機１の全体を制御するための制御プログラム８１を格納している。
【００６７】
（３−２）ＲＡＭ７０
ＲＡＭ７０は各種制御データを一時的に記憶する。また、ＲＡＭ７０は、ＣＰＵ６０がＲＯＭ８０から読み出した制御プログラムを一時的に記憶し、ＣＰＵ６０が各種機能を実行するための作業領域を提供する。
【００６８】
（３−３）ＣＰＵ６０
ＣＰＵ６０は、清掃指示受付部６１、フィルタ駆動制御部６２、ファン駆動制御部６３及び水平フラップ制御部６４を含む。
【００６９】
清掃指示受付部６１は、図示しないリモコン等を介してユーザからフィルタの清掃指示を受け付ける。あるいは、室内機３が冷房運転及び暖房運転等の各種運転を終了したのに応じたタイミング及び所定の清掃時期が来たことを室内機３が検出したのに応じたタイミングなどの所定のタイミングで清掃指示を受け付けてもよい。清掃指示受付部６１は、清掃指示を受け付けたことを、フィルタ駆動制御部６２、ファン駆動制御部６３及び水平フラップ制御部６４に通知する。
【００７０】
ファン駆動制御部６３は、清掃指示受付部６１が清掃指示を受け付けたことに応じて、室内ファン３２を駆動する。ファン駆動制御部６３は、吹出口３０６ａから吹き出された空気が直に上吸込口３０５ａに向かう風量となるように室内ファン３２を制御する。例えば、ファン駆動制御部６３は、吹出口３０６ａから吹き出される空気の風量が微風程度となるように室内ファン３２を制御する。
【００７１】
水平フラップ制御部６４は、清掃指示受付部６１が清掃指示を受け付けたことに応じて、水平フラップ３０６ｂを駆動する。水平フラップ制御部６４は、吹出口３０６ａから吹出される空気が上吹きとなるように水平フラップ３０６ｂの開状態を調整する。
【００７２】
フィルタ駆動制御部６２は、清掃指示受付部６１が清掃指示を受け付けたことに応じて、第１ローラ５０２を一方向に駆動させる。これにより、フィルタ５００は往路方向に移動し、フィルタ５００の上面５００ａは上吸込口３０５ａ側から室内熱交換器３１側に移動する。このとき、フィルタ５００の上面５００ａはブラシ５１２により塵埃を除去されて清掃される。フィルタ駆動制御部６２は、フィルタ５００の上面５００ａを全て室内熱交換器３１側に移動させると、第１ローラ５０２を復路方向に駆動させる。フィルタ駆動制御部６２は、第１ローラ５０２を復路方向に駆動させる場合には、ファン駆動制御部６３及び水平フラップ制御部６４に通知する。なお、フィルタ駆動制御部６２は、フィルタ５００の上面５００ａが全て室内熱交換器３１側に移動したか否かを、フィルタ５００を往路方向に所定量移動させたか否かなどにより判断する。
【００７３】
ファン駆動制御部６３は、フィルタ駆動制御部６２から第１ローラ５０２を復路方向に移動させるとの通知を受けると、室内ファン３２の駆動を停止する。
【００７４】
水平フラップ制御部６４は、フィルタ駆動制御部６２から第１ローラ５０２を復路方向に移動させるとの通知を受けると、水平フラップ３０６ｂを閉状態とする。
【００７５】
フィルタ駆動制御部６２は、フィルタ５００の上面５００ａが全て室内熱交換器３１側に移動して清掃が終了したと判断すると、第１ローラ５０２を逆方向に駆動させる。あるいは、フィルタ駆動制御部６２は、ファン駆動制御部６３から室内ファン３２の駆動停止の通知を受け、水平フラップ制御部６４から水平フラップ３０６ｂを閉状態にしたとの通知を受けてもよい。そして、これらに基づいて、フィルタ駆動制御部６２は第１ローラ５０２を逆方向に駆動させてもよい。第１ローラ５０２の逆方向の駆動によりフィルタ５００は復路方向に移動し、フィルタ５００の上面５００ａは室内熱交換器３１側から上吸込口３０５ａ側に移動する。なお、フィルタ駆動制御部６２は、フィルタ５００の上面５００ａが全て上吸込口３０５ａ側に戻ったか否かを、フィルタ５００を復路方向に所定量移動させたか否かなどにより判断する。
【００７６】
（４）処理の流れ
次にフィルタ５００の清掃時における動作を図１０を用いて説明する。図１０はフィルタ５００の清掃時における動作を示すフローチャートの一例である。
【００７７】
ステップＳ１：清掃指示受付部６１は、フィルタの清掃指示を受け付けたか否かを判断する。清掃指示受付部６１がフィルタの清掃指示を受け付けた場合には、ステップＳ２が実行される。そうでない場合は、清掃指示受付部６１はフィルタの清掃指示を受け付けるまで待機する。
【００７８】
ステップＳ２：ファン駆動制御部６３は、清掃指示受付部６１が清掃指示を受け付けたことに応じて、室内ファン３２を駆動する。また、水平フラップ制御部６４は、清掃指示受付部６１が清掃指示を受け付けたことに応じて、水平フラップ３０６ｂの駆動を制御する。
【００７９】
ステップＳ３：フィルタ駆動制御部６２は、清掃指示受付部６１が清掃指示を受け付けたことに応じて、第１ローラ５０２を一方向に駆動させる。これにより、フィルタ５００の上面５００ａは往路方向に移動してブラシ５１２により塵埃を除去されて清掃される。
【００８０】
ステップＳ４、Ｓ５：フィルタ駆動制御部６２は、フィルタ５００の上面５００ａが全て室内熱交換器３１側に移動し、フィルタ５００の上面５００ａの清掃が終了したか否かを判断する。フィルタ駆動制御部６２は、フィルタ５００の上面５００ａの全てがまだ室内熱交換器３１側に移動しておらず清掃が終了していないと判断すると、フィルタの移動を継続する（Ｓ４）。一方、フィルタ駆動制御部６２は、フィルタ５００の上面５００ａの全てが室内熱交換器３１側に移動して清掃が終了したと判断すると、フィルタ５００の移動を終了する（Ｓ５）。
【００８１】
ステップＳ６：フィルタ駆動制御部６２は、フィルタ５００の上面５００ａが全て室内熱交換器３１側に移動したと判断すると、第１ローラ５０２を逆方向に駆動させるためにファン駆動制御部６３及び水平フラップ制御部６４に通知する。ファン駆動制御部６３は、前記通知に応じて室内ファン３２の駆動を停止する。水平フラップ制御部６４は、前記通知に応じて水平フラップ３０６ｂを閉状態とする。
【００８２】
ステップＳ７：フィルタ駆動制御部６２は、第１ローラ    ５０２を逆方向に駆動させる。これにより、フィルタ５００の上面５００ａは室内熱交換器３１側から上吸込口３０５ａ側に向かって復路方向に移動する。
【００８３】
ステップＳ８：フィルタ駆動制御部６２は、フィルタ５００の上面５００ａが全て上吸込口３０５ａ側に移動したか否かを判断する。フィルタ駆動制御部６２は、フィルタ５００の上面５００ａの全てが上吸込口３０５ａ側に移動していないと判断すると第１ローラ５０２の駆動を継続する。一方、フィルタ駆動制御部６２は、フィルタ５００の上面５００ａが全て上吸込口３０５ａ側に移動したと判断すると第１ローラ５０２の駆動を停止する。
【００８４】
（５）特徴
（５−１）
フィルタ５００を清掃する際にはフィルタ５００が振動するため、清掃ユニット５１のブラシ５１２が塵埃を除去する前に塵埃が落下し、フィルタ５００に付着した塵埃を除去することができない。そこで、制御部４１は、清掃ユニット５１により塵埃を除去する場合に室内ファン３２を駆動させる。
【００８５】
これにより、清掃ユニット５１により塵埃を除去する場合に室内ファン３２が駆動し、室内ファン３２により取り込まれた空気がフィルタ５００を上面５００ａから下面５００ｂに向かって通過する。フィルタ５００の上面５００ａに付着した塵埃は、フィルタ５００の上面５００ａから下面５００ｂに向かう空気流によりフィルタ５００の上面５００ａに押し付けられる。よって、塵埃を除去する場合にフィルタ５００が振動しても、フィルタ５００の上面５００ａに付着した塵埃が落下するのを抑制できる。
【００８６】
（５−２）
空気調和機１は室内の側壁の上部に取り付けられる。空気調和機１は、上部に設けられ、空気を取り込む上吸込口３０５ａと、下部に設けられ、空気を吹き出す吹出口３０６ａと、をさらに備える。このとき、室内ファン３２の駆動により吹き出される空気は上吹きである。
【００８７】
清掃ユニット５１により塵埃を除去する場合に、室内ファン３２の駆動により吹き出される空気は上吹きであるため、吹き出された空気を空気調和機１の上部から取り込むことができる。つまり、空気調和機１から吹き出されてフィルタ５００に向かう空気の流れが効率的に形成される。よって、吹き出された空気の大部分を、フィルタ５００の上面５００ａへの塵埃の押し付けに用いることができる。
【００８８】
（５−３）
清掃ユニット５１により塵埃を除去する場合に、室内ファン３２の駆動により吹き出される空気の風量は微風に調整される。そのため、空気の大部分は空気調和機１の吹出口３０６ａの近傍に吹き出され、室内ファン３２による空気の吸い込みに従って正面板３０６に沿って上方向に流れる。よって、空気調和機１は、吹き出された空気の大部分をその上部の上吸込口３０５ａから取り込み、フィルタ５００に供給することができる。これにより、室内ファン３２の駆動量を抑えつつも、フィルタ５００の上面５００ａに塵埃を押し付けることができる。
【００８９】
（５−４）
前述の微風は、室内ファン３２の駆動により吹き出された空気がフィルタ５００に向かう風量である。
【００９０】
これにより、室内ファン３２の駆動により空気調和機１から吹き出された空気は、再び空気調和機１に取り込まれてフィルタ５００に向かう。つまり、いわゆるショートサーキット現象が生じる。このショートサーキット現象を利用して、フィルタ５００の上面５００ａに塵埃を押し付けることができる。
【００９１】
（５−５）
清掃ユニット５１により塵埃を除去する場合に、フィルタ５００はその上面５００ａが清掃ユニット５１に向かう往路方向に移動し、ブラシ５１２による塵埃の除去の終了後には、フィルタ５００は上面５００ａが往路方向とは逆の復路方向に移動する。制御部４１は、フィルタ５００が往路方向に移動する場合に室内ファン３２を駆動し、フィルタ５００が復路方向に移動する場合に室内ファン３２を停止する。
【００９２】
空気調和機１が通常の運転を行っている場合には、フィルタ５００の上面５００ａは上吸込口３０５ａ側に位置している。フィルタ５００の上面５００ａは、清掃ユニット５１により塵埃を除去する場合にその端部から清掃ユニット５１側に移動しつつ、室内熱交換器３１側に位置するようになる。そして、清掃ユニット５１による塵埃の除去終了後には、フィルタ５００の上面５００ａは再び室内熱交換器３１側から上吸込口３０５ａ側に位置するように移動する。つまり、塵埃の除去から終了に亘って、フィルタ５００の上面５００ａは往復運動する。
【００９３】
室内ファン３２は、清掃ユニット５１により塵埃を除去する際にフィルタ５００の上面５００ａが上吸込口３０５ａ側から室内熱交換器３１側に移動する往路方向において駆動され、フィルタ５００の上面５００ａが室内熱交換器３１側から上吸込口３０５ａ側に戻る復路方向では駆動されない。よって、清掃ユニット５１による塵埃の除去時にフィルタ５００の上面５００ａとは反対の下面５００ｂに塵埃が付着したとしても、フィルタ５００を復路方向に移動させる場合に塵埃を落下させ得る空気流が形成されていない。つまり、フィルタ５００の上面５００ａから下面５００ｂに向かって通過する空気流が形成されない。よって、フィルタ５００が往路方向に移動する場合にフィルタ５００の下面５００ｂから塵埃が落下するのを抑制できる。
【００９４】
（６）変形例
（６−１）変形例１Ａ
上記実施形態では、フィルタ５００は環状に形成されており、フィルタ５００の上面５００ａと下面５００ｂとは連続的である。しかし、フィルタ５００は上面５００ａのみを備える構成であってもよい。
【００９５】
このようなフィルタ５００の清掃時の動作の流れについて図１１Ａ〜図１１Ｃ及び図１２Ａ〜図１２Ｃを用いて以下に説明する。図１１Ａ〜図１１Ｃは清掃時においてフィルタ５００が往路方向に移動する場合の動作の流れを示す説明図である。図１２Ａ〜図１２Ｃは清掃終了後においてフィルタ５００が復路方向に移動する場合の動作の流れを示す説明図である。
【００９６】
（ａ）往路方向
通常の状態において、フィルタ５００は、その上面５００ａが上吸込口３０５ａに面している。よって、上面５００ａの裏面である反対面５００ｃは、室内熱交換器３１に面している。空気調和機１の運転時等においては上吸込口３０５ａ及び下吸込口３０２ａからは空気が吸い込まれ、空気に取り込まれる塵埃がフィルタ５００の上面５００ａに付着し得る。
【００９７】
フィルタ５００の清掃時においては、図１１Ａに示すように室内ファン３２が駆動され、吹出口３０６ａから吹き出された空気は上吸込口３０５ａから吸い込まれる。よって、フィルタ５００の上面５００ａに付着した塵埃は、上面５００ａ側から反対面５００ｃに向かう空気流によりフィルタ５００の上面５００ａに押し付けられている。
【００９８】
塵埃がフィルタ５００の上面５００ａに押し付けられている状態で、図１１Ｂに示すように、フィルタ５００の上面５００ａは、第１ローラ５０２によりその端部からブラシ５１２に向かって移動し、徐々に室内熱交換器３１側に位置するように往路方向に移動する。このとき、フィルタ５００の上面５００ａが室内熱交換器３１側に位置するのに応じて、フィルタ５００の反対面５００ｃは上吸込口３０５ａ側に面するようになる。
【００９９】
さらに、図１１Ｃに示すように、第１ローラ５０２及び第２ローラ５０３が一方向に駆動を継続することにより、フィルタ５００の上面５００ａは往路方向にさらに移動し、上面５００ａの塵埃が除去される。最終的には、フィルタ５００の上面５００ａの全面が室内熱交換器３１側に位置し、フィルタ５００の反対面５００ｃの全面が上吸込口３０５ａ側に面する。室内ファン３２の駆動及び水平フラップ３０６ｂの開状態は、フィルタ５００の上面５００ａの全面が室内熱交換器３１側に位置して、上面５００ａの全面がブラシ５１２と接触して塵埃の除去が行われるまで継続される。
【０１００】
（ｂ）復路方向
図１２Ａに示すように、フィルタ５００の上面５００ａの塵埃の除去が終了した直後には、フィルタ５００の上面５００ａの全面が室内熱交換器３１側に位置し、フィルタ５００の反対面５００ｃの全面が上吸込口３０５ａ側に面している。塵埃の除去が終了すると、図１２Ａに示すように、室内ファン３２の駆動が停止され、水平フラップ３０６ｂが閉状態に制御される。そのため、図１１Ａ〜図１１Ｃに示すような吹出口３０６ａから吹き出されて上吸込口３０５ａから吸い込まれる空気の流れは生じない。
【０１０１】
次に、第１ローラ５０２及び第２ローラ５０３が一方向とは逆方向に駆動する。これにより、図１２Ｂに示すように、フィルタ５００の上面５００ａは再び室内熱交換器３１側から上吸込口３０５ａ側に位置し、フィルタ５００の反対面５００ｃは再び室内熱交換器３１側に面するように復路方向に移動する。
【０１０２】
さらに、図１２Ｃに示すように、第１ローラ５０２及び第２ローラ５０３が逆方向に駆動を継続することにより、フィルタ５００の上面５００ａの全面が上吸込口３０５ａ側に位置し、フィルタ５００の反対面５００ｃの全面が室内熱交換器３１側に面する。
【０１０３】
（６−２）変形例１Ｂ
上記実施形態では、フィルタ５００は環状に形成されており、清掃時にはフィルタ５００そのものが第１ローラ５０２及び第２ローラ５０３によりブラシ５１２等の清掃ユニット５１側に移動して塵埃が除去される。しかし、フィルタ５００は移動せず、ブラシ５１２等の清掃部材がフィルタ５００上を移動してフィルタ５００上の塵埃を除去してもよい。フィルタ５００の清掃時には、上記実施形態と同様に室内ファン３２が駆動され、水平フラップ３０６ｂが開状態に制御されている。吹出口３０６ａから吹き出した空気は正面板３０６に沿って上方向に向かい、上吸込口３０５ａから吸い込まれる。よって、フィルタ５００の上面５００ａに付着した塵埃は、上面５００ａ側から下面５００ｂに向かう空気流によりフィルタ５００の上面５００ａに押し付けられている。そのため、清掃時にフィルタ５００から塵埃が除去されるのを抑制できる。
【０１０４】
（６−３）変形例１Ｃ
上記実施形態では、図７Ａ及び図１０のステップＳ２に示すように、フィルタ５００を往路方向に移動させて清掃する前に室内ファン３２を駆動させ、水平フラップ３０６ｂを開状態に調整している。言い換えれば、室内ファン３２を駆動させ、水平フラップ３０６ｂを開状態にして、吹出口３０６ａから吹出された空気を上吸込口３０５ａに直に吸い込ませるショートサーキットを発生させた後に、フィルタ５００の清掃を行っている。このように制御するのは、フィルタ５００上に塵埃を十分に押し付けた後に清掃を行い、塵埃の落下を抑制するためである。しかし、ショートサーキットの発生に時間を要しない場合には、室内ファン３２の駆動、水平フラップ３０６ｂの開状態の制御及びフィルタ５００の清掃を概ね同時に開始してもよい。
【０１０５】
（６−４）変形例１Ｄ
上記実施形態では、フィルタ５００の清掃時において水平フラップ３０６ｂのみを開状態に制御している。しかし、例えば下吸込口３０２ａのシャッター３０２ｂを開状態に制御してもよい。これにより、下吸込口３０２ａから吸い込まれる空気の流れによりフィルタ５００の塵埃が押し付けられる。特に、下吸込口３０２ａに近いフィルタ５００の第２ローラ５０３側の塵埃の落下をさらに抑制することができる。
【産業上の利用可能性】
【０１０６】
本発明は、フィルタを備える空気調和機に適用可能である。
【符号の説明】
【０１０７】
１            空気調和機
３            室内機
３１          室内熱交換器
３２          室内ファン
３３          フィルタ機構
４１          制御部
５０          フィルタユニット
５１          清掃ユニット
６０          ＣＰＵ
６１          清掃指示受付部
６２          フィルタ駆動制御部
６３          ファン駆動制御部
６４          水平フラップ制御部
７０          ＲＡＭ
８０          ＲＯＭ
３０１        背面板
３０２ａ      下吸込口
３０２ｂ      シャッター
３０５        天板
３０５ａ      上吸込口
３０６        正面板
３０６ａ      吹出口
３０６ｂ      水平フラップ
５００        フィルタ
５００ａ      上面
５００ｂ      下面
５００ｃ      反対面
５０２        第１ローラ
５０３        第２ローラ
５１１        フィルタ駆動部
５１２        ブラシ
５１３        ブラシ駆動部
５１４        ブラシ清掃部
５１５        塵埃受け部
【先行技術文献】
【特許文献】
【０１０８】
【特許文献１】特開２０１０−１９７０３４号公報
【図１】
2014122747.tif 000003
【図２】
2014122747.tif 000004
【図３】
2014122747.tif 000005
【図４】
2014122747.tif 000006
【図５】
2014122747.tif 000007
【図６】
2014122747.tif 000008
【図７Ａ】
2014122747.tif 000009
【図７Ｂ】
2014122747.tif 000010
【図７Ｃ】
2014122747.tif 000011
【図８Ａ】
2014122747.tif 000012
【図８Ｂ】
2014122747.tif 000013
【図８Ｃ】
2014122747.tif 000014
【図９】
2014122747.tif 000015
【図１０】
2014122747.tif 000016
【図１１Ａ】
2014122747.tif 000017
【図１１Ｂ】
2014122747.tif 000018
【図１１Ｃ】
2014122747.tif 000019
【図１２Ａ】
2014122747.tif 000020
【図１２Ｂ】
2014122747.tif 000021
【図１２Ｃ】
2014122747.tif 000022